(57)【要約】【課題】肘部、上腕部及び前腕部を確実に保護し得るアームガードを提供する。【解決手段】肘部Ｅに装着される肘当て部３と、肘当て部３の上腕側に揺動自在に取着される第１保護部１と、肘当て部３の前腕側に揺動自在に取着される第２保護部２とを、備え、第１保護部１と第２保護部２に、取付用舌片４，４を縫着し、舌片４，４の表て面に、面状ファスナーの雄部９，９を形成し、かつ、肘当て部３の裏面に、面状ファスナーの雌部が略全面にわたって形成されている。【選択図】図５
2015047171.tif 000002
【特許請求の範囲】
【請求項１】
肘部（Ｅ）に装着される肘当て部（３）と、該肘当て部（３）の上腕側に揺動自在に取着される第１保護部（１）と、上記肘当て部（３）の前腕側に揺動自在に取着される第２保護部（２）とを、備え、
上記第１保護部（１）と上記第２保護部（２）に、取付用舌片（４）（４）を縫着し、該舌片（４）（４）の表て面に、面状ファスナーの雄部（９）（９）を形成し、かつ、上記肘当て部（３）の裏面に、面状ファスナーの雌部（８）が略全面にわたって形成されたことを特徴とするアームガード。
【請求項２】
上記肘当て部（３）は、硬質樹脂から成るカップ（６）と、該カップ（６）の裏側に縫着した緩衝用パッド（５）とを有し、
該パッド（５）は、発泡体（１２）が内装され、かつ、裏面側には上記面状ファスナーの雌部（８）が形成され、自由状態でＲ曲面状の凹窪部（１０）を有し、該凹窪部（１０）の左右側縁部が盛り上がって突隆部（１１）（１１）を形成している請求項１記載のアームガード。
【請求項３】
上記舌片（４）（４）は、左右に分岐した二股突片形状に形成されている請求項１又は２記載のアームガード。
【発明の詳細な説明】
【技術分野】
【０００１】
本発明は、球技用のアームガードに関する。
【背景技術】
【０００２】
従来、野球やソフトボール等の球技に於て、投球されたボールが打者の腕に直接当たらないようにしてケガを防止するプロテクターが知られている（特許文献１参照）。
【先行技術文献】
【特許文献】
【０００３】
【特許文献１】特表２００３−５０５１７３号公報
【発明の概要】
【発明が解決しようとする課題】
【０００４】
しかし、特許文献１記載のプロテクターは、可撓性の布を前腕部に巻き付けて装着する為、肘部に隙間が空き易く、また、上腕部を保護することができなかった。よって、ボールの直撃によって肘部や上腕部を打撲したり、骨折したりする虞れがあった。
【０００５】
そこで、本発明は、肘部、上腕部及び前腕部を確実に保護し得るアームガードを提供することを目的とする。
【課題を解決するための手段】
【０００６】
本発明に係るアームガードは、肘部に装着される肘当て部と、該肘当て部の上腕側に揺動自在に取着される第１保護部と、上記肘当て部の前腕側に揺動自在に取着される第２保護部とを、備え、上記第１保護部と上記第２保護部に、取付用舌片を縫着し、該舌片の表て面に、面状ファスナーの雄部を形成し、かつ、上記肘当て部の裏面に、面状ファスナーの雌部が略全面にわたって形成されたものである。
【０００７】
また、上記肘当て部は、硬質樹脂から成るカップと、該カップの裏側に縫着した緩衝用パッドとを有し、該パッドは、発泡体が内装され、かつ、裏面側には上記面状ファスナーの雌部が形成され、自由状態でＲ曲面状の凹窪部を有し、該凹窪部の左右側縁部が盛り上がって突隆部を形成しているものである。
また、上記舌片は、左右に分岐した二股突片形状に形成されているものである。
【発明の効果】
【０００８】
本発明のアームガードによれば、肘部と上腕部と前腕部を、投球されたボールの直撃から確実に保護できる。肘当て部に、第１保護部と第２保護部を、面状ファスナーによって着脱自在に取り付けることができる。即ち、使用者の好みに応じて、第１保護部と第２保護部の取着位置を自由に変更することができ、あるいは、使用者が第１保護部、又は／及び、第２保護部を必要としない場合には、簡単に取外すこともできる。
【図面の簡単な説明】
【０００９】
【図１】本発明の実施の一形態を示した正面図である。
【図２】本発明の実施の一形態を示した背面図である。
【図３】図２のＡ−Ａ断面図である。
【図４】図２のＢ−Ｂ断面図である。
【図５】アームガードの使用状態を示した斜視図である。
【発明を実施するための形態】
【００１０】
以下、実施の形態を示す図面に基づき本発明を詳説する。
図５に示すように、本発明のアームガードは、肘部Ｅに装着される肘当て部３と、肘当て部３の上腕側に揺動自在に取着される第１保護部１と、肘当て部３の前腕側に揺動自在に取着される第２保護部２とを、備えている。
図１と図２に示すように、第１保護部１と第２保護部２に、取付用舌片４，４を縫着し、舌片４，４の表て面に、面状ファスナーの雄部９，９を形成し、かつ、肘当て部３の裏面に、面状ファスナーの雌部８が略全面にわたって形成されている。
【００１１】
肘当て部３は、硬質樹脂から成るカップ６と、カップ６の裏側に縫着した緩衝用パッド５とを有している。
図３と図４に示すように、パッド５は、発泡体１２が内装され、かつ、裏面側には面状ファスナーの雌部８が形成されている。
また、パッド５は、自由状態でＲ曲面状の凹窪部１０を有し、凹窪部１０の左右側縁部が盛り上がって突隆部１１，１１を形成している。
肘当て部３の一側端縁には、肘用ベルト部材３０が付設されている。肘用ベルト部材３０は、伸縮性を有する帯状紐から成り、図５に示す使用状態で、肘部Ｅに巻設され、肘当て部３の他側端縁に設けたリング状ベルト係止部材３１に挿通されて折り返され、面状ファスナー等によって係止されている。即ち、肘用ベルト部材３０を肘部Ｅに巻き付けて肘当て部３を装着する。
【００１２】
カップ６は、突隆部１６を有し、縫着部５０が外周縁部に沿って囲むように環状に形成されている。カップ６の硬度は、ショアーＤ６５〜Ｄ９５に設定するのが好ましい。
図３と図４に示すように、パッド５は、３層構造となっており、ナイロン系又はポリエステル系の表生地１７と、面状ファスナーの雌部８を有する裏生地１８と、表生地１７と裏生地１８に挟まれたＰＥ又はＰＵ等から成る板状の発泡体１２とを、有している。パッド５の外周縁部は、全周にわたって縁巻部１９によって縫製され、３層が剥離しないように保持されている。また、パッド５とカップ６は、縫着部５０によって一体状に縫着されている。
【００１３】
パッド５は、自由状態で、横断面（図３のＡ−Ａ断面）に於ける凹窪部１０の第１曲率半径Ｒ１を、縦断面（図４のＢ−Ｂ断面）に於ける凹窪部１０の第２曲率半径Ｒ２よりも小さく設定している。また、図２に示す背面図に於て、突隆部１１，１１は、三日月状に形成され、凹部どうしが対面状となるように配設されている。肘当て部３は、使用状態で、突隆部１１，１１が肘部Ｅを左右から包み込むように形成されている。パッド５は、金型プレス加工によって成形され、Ｒ曲面状の凹窪部１０、及び、背面視三日月状の突隆部１１，１１が形成されている。
【００１４】
図１と図２に示すように、第１保護部１と第２保護部２は、硬質保護板２０と、硬質保護板２０の裏側に縫着した緩衝部材２１とを有し、硬質保護板２０と緩衝部材２１の間に舌片４を挟んで縫着している。第１保護部１と第２保護部２の一側端縁には、腕用ベルト部材４０が付設されている。腕用ベルト部材４０は、伸縮性を有する帯状紐から成り、図５に示す使用状態で、上腕部又は前腕部に巻設され、他側端縁に設けたリング状ベルト係止部材４１に挿通されて折り返され、面状ファスナー等によって係止されている。
【００１５】
硬質保護板２０は、突隆部２２を有し、縫着部５０が外周縁部に沿って囲むように環状に形成されている。
緩衝部材２１は、３層構造となっており、図示省略するが、ナイロン系又はポリエステル系の表生地と裏生地に挟まれたＰＥ又はＰＵ等から成る板状発泡体とを、有している。緩衝部材２１の外周縁部は、全周にわたって縁巻部によって縫製され、３層が剥離しないように保持されている。
【００１６】
舌片４，４は、左右に分岐した二股突片形状に形成されている。
舌片４，４によって、凹窪部１０に対応して左右方向中間部に凹部１５，１５が上下に配設されている。舌片４は、緩衝部材２１と同様に３層構造となっており、図３と図４に示す断面図に於て、ナイロン系又はポリエステル系の表生地２３と裏生地２４に挟まれたＰＥ又はＰＵ等から成る板状発泡体２５とを、有している。舌片４の外周縁部は、全周にわたって縁巻部によって縫製されている。舌片４は、硬質保護板２０と緩衝部材２１と共に縫着部５０によって一体状に縫着されている。
【００１７】
上述した本発明のアームガードの使用方法（作用）について説明する。
図５に示すように、肘当て部３に第１保護部１と第２保護部２を取付け、肘当て部３の裏側に形成された凹窪部１０を肘部Ｅに当接させて、肘用ベルト部材３０を肘部Ｅに、腕用ベルト部材４０，４０を上腕部と前腕部に巻き付ける。肘当て部３は肘部Ｅを被覆し、かつ、第１保護部１と第２保護部２は、上腕部と前腕部の肘部Ｅ近傍を被覆して、投球されたボールの直撃から肘部Ｅ、及び、上腕部と前腕部を保護する。
第１保護部１と第２保護部２は、面状ファスナーによって、肘当て部３に着脱自在に取り付けることができ、使用者の好みに応じて、第１保護部１と第２保護部２の取着位置を自由に変更可能である。図示省略するが、使用者が肘当て部３のみをもって肘部Ｅを保護したい時は、第１保護部１と第２保護部２を取外して装着する。あるいは、使用者が第１保護部１又は第２保護部２のどちらか一方を取り付けて使用することも可能である。
【００１８】
使用状態に於て、凹窪部１０が肘部Ｅに当接し、かつ、突隆部１１，１１が肘部Ｅを左右から優しく（柔らかく）包み込んで、肘当て部３の廻り止めとなり、位置ズレを防止する。凹窪部１０は、横断面の第１曲率半径Ｒ１を縦断面の第２曲率半径Ｒ２より小さく設定している為、肘部Ｅが凹窪部１０の所定装着箇所に配置され、肘部Ｅの曲げ伸ばし動作の邪魔にならない。
また、舌片４，４を二股突片形状に形成したことで、使用状態で、凹部１５，１５間に肘部Ｅが嵌まり込んで、突隆部１１，１１と舌片４，４によって肘部Ｅが囲まれる（包み込まれる）ようなホールド感が向上し、プレー中に肘部Ｅが曲げ伸ばしを繰返しても、位置ズレすることが少ない。
【００１９】
なお、本発明は、設計変更可能であって、例えば、肘当て部３、及び、第１保護部１・第２保護部２のデザインは要旨を変更しない範囲で、自由に変更できる。また、図例では、肘当て部３、及び、第１保護部１と第２保護部２は、縫着部５０によって一体状に縫着されているものとしたが、リベット等により固着したものであって良い。
【００２０】
以上のように、本発明に係るアームガードは、肘部Ｅに装着される肘当て部３と、肘当て部３の上腕側に揺動自在に取着される第１保護部１と、肘当て部３の前腕側に揺動自在に取着される第２保護部２とを、備え、第１保護部１と第２保護部２に、取付用舌片４，４を縫着し、舌片４，４の表て面に、面状ファスナーの雄部９，９を形成し、かつ、肘当て部３の裏面に、面状ファスナーの雌部８が略全面にわたって形成されたので、肘部Ｅと上腕部と前腕部を、投球されたボールの直撃から確実に保護できる。肘当て部３に、第１保護部１と第２保護部２を、面状ファスナーによって着脱自在に取り付けることができる。即ち、使用者の好みに応じて、第１保護部１と第２保護部２の取着位置を自由に変更することができ、あるいは、使用者が第１保護部１、又は／及び、第２保護部２を必要としない場合には、簡単に取外すこともできる。
【００２１】
また、肘当て部３は、硬質樹脂から成るカップ６と、カップ６の裏側に縫着した緩衝用パッド５とを有し、パッド５は、発泡体１２が内装され、かつ、裏面側には面状ファスナーの雌部８が形成され、自由状態でＲ曲面状の凹窪部１０を有し、凹窪部１０の左右側縁部が盛り上がって突隆部１１，１１を形成しているので、肘当て部３が左右方向に位置ズレするのを防止できる。肘部Ｅを屈伸する方向に容易に曲げ伸ばしすることができ、使用者に違和感を感じさせずにプレーさせることができる。
【００２２】
また、舌片４，４は、左右に分岐した二股突片形状に形成されているので、肘部Ｅが囲まれる（包み込まれる）ようなホールド感を向上でき、プレー中に肘部Ｅが曲げ伸ばしを繰返しても、屈伸方向の位置ズレを防止できる。
【符号の説明】
【００２３】
１  第１保護部
２  第２保護部
３  肘当て部
４  舌片
５  パッド
６  カップ
８  雌部
９  雄部
１０  凹窪部
１１  突隆部
１２  発泡体
Ｅ  肘部
【図１】
2015047171.tif 000003
【図２】
2015047171.tif 000004
【図３】
2015047171.tif 000005
【図４】
2015047171.tif 000006
【図５】
2015047171.tif 000007